(57)【要約】【課題】通電情報を管理し表示する分電盤において、信号線をたどるなどの作業をすることなく、通電情報が表示されている分岐回路を特定することができる。【解決手段】分電盤は、複数の分岐回路と、これらの分岐回路に配設され各分岐回路の通電情報を検出し出力する分岐ブレーカ４と、分岐ブレーカ４が出力した通電情報を管理し表示する状態監視ユニットとを備える。分岐ブレーカ４は、各分岐回路の個別アドレスを設定するアドレス設定部４７を有し、このアドレス設定部４７により設定された個別アドレスと共に通電情報を状態監視ユニットへ出力する。状態監視ユニットは分岐回路の個別アドレスと共にその通電情報を表示することができるので、従来のように信号線をたどるなどの作業をすることなく、通電情報が表示されている分岐回路を特定することができる。【選択図】図２
2008228516.tif 000002
【特許請求の範囲】
【請求項１】
複数の分岐回路と、これらの分岐回路に配設され各分岐回路の通電情報を検出し出力する状態検出機構と、前記状態検出機構が出力した通電情報を管理し表示する状態監視ユニットと、を備える分電盤において、
前記状態検出機構は、各分岐回路の個別アドレスを設定するアドレス設定部を有し、このアドレス設定部により設定された個別アドレスと共に前記通電情報を前記状態監視ユニットへ出力することを特徴とする分電盤。
【請求項２】
前記状態検出機構は、表示機構を備え、前記表示機構は、前記状態監視ユニットからの信号により該当の個別アドレスを有する状態検出機構のみが表示状態になることを特徴とする請求項１に記載の分電盤。
【請求項３】
前記アドレス設定部は、前記個別アドレスを設定するための操作部を備え、
前記状態検出機構毎の近傍に、該状態検出機構が配設された分岐回路の個別アドレスに対応した前記操作部の設定状態が示されていることを特徴とする請求項１又は請求項２に記載の分電盤。
【請求項４】
前記アドレス設定部は、前記状態検出機構の電源起動を検知したとき、前記状態監視ユニットから空きアドレスが付加されることを特徴とする請求項１乃至請求項３のいずれか一項に記載の分電盤。
【請求項５】
前記個別アドレスは、分電盤の出荷前の生産工程段階で各状態検出機構毎に付加されることを特徴とする請求項１乃至請求項３のいずれか一項に記載の分電盤。
【請求項６】
前記状態検出機構は、信号を送受信する電力線通信子機を備え、
前記状態監視ユニットは、前記電力線通信子機と信号を送受信する電力線通信親機を備え、
前記電力線通信子機と電力線通信親機との間の通信は、主幹回路に配設された主幹ブレーカと前記状態検出機構とを繋ぐ電力線を介して行なわれることを特徴とする請求項１乃至請求項５のいずれか一項に記載の分電盤。
【発明の詳細な説明】
【技術分野】
【０００１】
本発明は、通電状態を管理し表示することができる分電盤に関する。
【背景技術】
【０００２】
従来の、この種の分電盤の例を図７に示す。分電盤１０１は、電力線１０３に介在させた主幹ブレーカ１０２と、電力線１０３から分岐した複数の分岐回路１４０の各々に介在させた分岐ブレーカ１０４と、状態監視ユニット１０５と、増設ユニット１１５などを備え、各分岐ブレーカ１０４は、その二次側配線に各分岐回路１４０の電流の通電情報を１箇所に集め集中監視するために、ＣＴ（ＣＵＲＲＥＮＴ  ＴＲＡＮＳＦＯＲＭＥＲ）を備えている。これら各ＣＴは、信号線１０６によって個別に、状態監視ユニット１０５や増設ユニット１１５に接続され、状態監視ユニット１０５は、各ＣＴからの通電情報を表示する。
【０００３】
しかしながら、このような従来の分電盤１０１においては、状態監視ユニット１０５に表示されている通電情報が、どの分岐ブレーカ１０４のものであるかを特定するためには、状態監視ユニット１０５に繋がっている信号線１０６を、分岐ブレーカ１０４までたどらないと分からない。このため、分岐ブレーカ１０４の数が多いと、信号線１０６をたどるのに手間がかかり、困難となる。また、配線作業にも手間がかかり、信号線１０６の切断の虞もある。
【０００４】
また、既存の分電盤に、通電情報を報知する監視用ユニットを取り付けることができるものがあり、この構成にあって、設定スイッチにより分岐ブレーカにアドレスを設定し、アドレスにより分岐ブレーカの特定を容易にするものが知られている（例えば、特許文献１参照）。
【０００５】
しかしながら、上記特許文献１に示されるような監視用ユニットにおいては、分電盤と監視用ユニットとが別個に設けられるために、広いスペースが必要となる。
【特許文献１】特開平４−５８４１６号公報
【発明の開示】
【発明が解決しようとする課題】
【０００６】
本発明は、上記従来の問題を解決するためになされたものであり、信号線をたどるなどの作業をすることなく、通電情報が表示されている分岐回路を特定することができる分電盤を提供することを目的とする。
【課題を解決するための手段】
【０００７】
上記目的を達成するために請求項１の発明は、複数の分岐回路と、これらの分岐回路に配設され各分岐回路の通電情報を検出し出力する状態検出機構と、前記状態検出機構が出力した通電情報を管理し表示する状態監視ユニットと、を備える分電盤において、前記状態検出機構は、各分岐回路の個別アドレスを設定するアドレス設定部を有し、このアドレス設定部により設定された個別アドレスと共に前記通電情報を前記状態監視ユニットへ出力するものである。
【０００８】
請求項２の発明は、請求項１に記載の分電盤において、前記状態検出機構は、表示機構を備え、前記表示機構は、前記状態監視ユニットからの信号により該当の個別アドレスを有する状態検出機構のみが表示状態になるものである。
【０００９】
請求項３の発明は、請求項１又は請求項２に記載の分電盤において、前記アドレス設定部は、前記個別アドレスを設定するための操作部を備え、前記状態検出機構毎の近傍に、該状態検出機構が配設された分岐回路の個別アドレスに対応した前記操作部の設定状態が示されているものである。
【００１０】
請求項４の発明は、請求項１乃至請求項３のいずれか一項に記載の分電盤において、前記アドレス設定部は、前記状態検出機構の電源起動を検知したとき、前記状態監視ユニットから空きアドレスが付加されるものである。
【００１１】
請求項５の発明は、請求項１乃至請求項３のいずれか一項に記載の分電盤において、前記個別アドレスは、分電盤の出荷前の生産工程段階で各状態検出機構毎に付加されるものである。
【００１２】
請求項６の発明は、請求項１乃至請求項５のいずれか一項に記載の分電盤において、前記状態検出機構は、信号を送受信する電力線通信子機を備え、前記状態監視ユニットは、前記電力線通信子機と信号を送受信する電力線通信親機を備え、前記電力線通信子機と電力線通信親機との間の通信は、主幹回路に配設された主幹ブレーカと前記状態検出機構とを繋ぐ電力線を介して行なわれるものである。
【発明の効果】
【００１３】
請求項１の発明によれば、状態監視ユニットに分岐回路の個別アドレスと共にその通電情報を表示することができるので、従来のように信号線をたどるなどの作業をすることなく、通電情報がどの分岐回路のものであるかが容易に分かる。
【００１４】
請求項２の発明によれば、状態検出機構の表示機構が表示状態になることで、一目でどの分岐回路の情報であるかを認識することができる。
【００１５】
請求項３の発明によれば、分岐回路の個別アドレスに対応する操作部の設定状態が操作部の近傍に示されているので、設定の誤りを防止することができる。
【００１６】
請求項４の発明によれば、自動的にアドレスが設定され、アドレスを設定する手間を省くことができる。
【００１７】
請求項５の発明によれば、分電盤の設置現場においてアドレスを設定する手間を省くことができる。
【００１８】
請求項６の発明によれば、分電盤内の信号線が不要となるので、分電盤内の配線が簡潔になって、配線の手間も少なくなり、信号線の切断を防止することができる。
【発明を実施するための最良の形態】
【００１９】
（第１の実施形態）
本発明の第１の実施形態に係る分電盤について図１乃至図３を参照して説明する。図１は本実施形態に係る分電盤の正面視を、図２は同分電盤における分岐ブレーカの構成を、図３は同分電盤における状態監視ユニットの構成を示す。分電盤１は、図１に示されるように、外部の商用電源に接続された電力線３に配設された主幹ブレーカ２と、電力線３から分岐された複数の分岐回路４０に配設された分岐ブレーカ４と、各分岐回路の通電情報を管理し表示する状態監視ユニット５と、をケース１１中に備えている。主幹ブレーカ２は、電力線３の接続をオン・オフする接点を有している。分岐ブレーカ４は、電力線３から分岐された分岐回路４０の配線が接続される電源端子部４１と、負荷が接続される分岐回路４０の配線が接続される負荷端子部４２とを備える。分岐ブレーカ４は分岐回路に過電流が流れると分岐回路を遮断し、負荷への電源供給を停止する。状態監視ユニット５は、２線送り配線６によって各分岐ブレーカ４と接続されており、各分岐回路４０の通電情報を受信し、表示する。
【００２０】
分岐ブレーカ４は、図２に示されるように、電源端子部４１と負荷端子部４２を繋ぐ配線４１１を備え、配線４１１上には、接点機構部４３と、引外し機構部４６と、ＣＴ４４とが配設されている。接点機構部４３は、スイッチレバー４３１と連動して配線４１１の接続をオン・オフする接点を有している。引外し機構部４６は、配線４１１の過電流を検出するセンサを有しており、過電流を検出すると、接点機構部４３の接点をオフにする。ＣＴ４４は電流を検出して情報処理部４５へ通電情報を出力する。また、分岐ブレーカ４は、アドレス設定部４７を備えており、アドレス設定部４７は、例えばディップスイッチ４７１によって分岐回路の個別アドレスが設定され、設定されたアドレスを情報処理部４５へ出力する。情報処理部４５は、配線４１１に接続されて駆動電源を得ており、ＣＴ４４からの通電情報を、個別アドレスと共に制御端子部４８から２線送り配線６を介して状態監視ユニット５へ出力する。
【００２１】
状態監視ユニット５は、図３に示されるように、２線送り配線６と繋がり通電情報と個別アドレスを受信する制御端子部５１と、電源供給用の電源端子部５２と、受信した通電情報を演算処理する情報処理部５３と、表示するデータを設定する設定操作部５４と、データを表示するデータ表示部５５とを備えている。設定操作部５４は、ユーザの操作により、表示する通電情報の種類や、表示方法を設定する。データ表示部５５は、例えば液晶から成っている。電源端子部５２は、電力線３から受電して情報処理部５３等へ駆動電源を供給する。
【００２２】
上記のように構成された分電盤１の動作を次に説明する。ＣＴ４４は検出した配線４１１の通電情報を情報処理部４５へ出力し、アドレス設定部４７は、ディップスイッチ４７１によって設定された個別アドレスを情報処理部４５へ出力する。情報処理部４５は、通電情報と個別アドレスを制御端子部４８から２線送り配線６を介して、状態監視ユニット５へ出力する。状態監視ユニット５は、設定操作部５４からの設定条件に基づいて、分岐ブレーカ４から受信した通電情報と個別アドレスをデータ表示部５５に表示する。
【００２３】
かくして、本実施形態の分電盤１によれば、状態監視ユニット５に分岐回路の個別アドレスと共にその分岐回路の通電情報を表示することができるので、従来のように信号線をたどるなどの作業をすることなく、表示されている通電情報がどの分岐回路のものであるかが容易に分かる。
【００２４】
また、分電盤１の出荷前の生産工程段階において、個別アドレスを各分岐ブレーカ毎に付加し、情報処理部４５のメモリに記憶させてもよい。個別アドレスは、生産番号等を基にすることにより、重複を防止する。分電盤の設置現場においてアドレスを設定する手間を省くことができる。
【００２５】
次に、上記第１の実施形態の分岐ブレーカ４の変形例の構成について図４を参照して説明する。上記第１の実施形態では、表示されている分岐回路の個別アドレスが、データ表示部に表示されるだけであったが、本変形例は、状態監視ユニットに表示されている個別アドレスに対応する分岐ブレーカ自体に表示機能を持たせたものである。そのために、分岐ブレーカ４は、上記第１の実施形態の構成に加えて、例えばＬＥＤから成る表示部４９を備える。表示部４９は情報処理部４５と接続されており、情報処理部４５からの信号により表示状態になる。状態監視ユニット５（図１及び図３参照）は、各分岐回路の通電情報をデータ表示部５５に表示するときに、その分岐回路の個別アドレスを有する分岐ブレーカ４に対して、２線送り配線６及び制御端子部４８を介して情報処理部４５に表示部４９を表示するための指示を出力する。この指示出力を受信した分岐ブレーカ４の情報処理部４５は、表示部４９を表示状態にする。データ表示部５５に表示されている通電情報に対応する分岐ブレーカ４の表示部４９が表示状態になることで、一目でどの分岐回路の通電情報であるかを認識することができる。
【００２６】
次に、上記第１の実施形態の分電盤における、個別アドレスの設定方法の変形例について再び図２及び図３を用いて説明する。本変形例は、個別アドレスを自動により設定することができるようにした。分電盤の分岐ブレーカ４における情報処理部４５は、電源端子部４１に電源が供給されたときに、個別アドレスが設定されているかを判断し、設定されていないときには、分岐ブレーカ４と２線送り配線６によって繋がる状態監視ユニット５にアドレス設定の要求を行なう。状態監視ユニット５の情報処理部５３は、設定されていない空きアドレスを分岐ブレーカ４の情報処理部４５に付加し、個別アドレスを設定する。このとき、個別アドレスがランダムに付加されても、分岐ブレーカ４に、設定された個別アドレスを表示することや、上述した変形例のように分岐ブレーカ４にＬＥＤを設けることにより、表示されている通電情報がどの分岐回路のものであるかが容易に分かる。このことにより、自動的にアドレスが設定され、アドレスを設定する手間を省くことができる。
【００２７】
（第２の実施形態）
本発明の第２の実施形態に係る分電盤について図５を参照して説明する。本実施形態は、個別アドレスに対応するディップスイッチ４７１の設定状態を表示することができるようにしたものである。図５（ａ）は、本実施形態に係る分電盤の正面視を、（ｂ）は同分電盤における分岐ブレーカの有するディップスイッチの外観を、（ｃ）は同分電盤が備える回路銘板の表示状態を示す。本実施形態に係る分電盤１は、第１の実施形態に係る分電盤１の構成に加えて、左右に並設された分岐ブレーカ４の間に回路銘板７を備えており、回路銘板７には、各分岐ブレーカ４の個別アドレスと、個別アドレスに対応するディップスイッチ４７１の設定状態とを示す設定表示７１が貼付されている。かくして、ディップスイッチ４７１の設定状態が、分岐ブレーカ４の近傍に示されているので、アドレス設定の誤りを防止することができる。また、設定表示７１に印刷するだけなので安価に表示することができる。
【００２８】
（第３の実施形態）
本発明の第３の実施形態に係る分電盤について図６を参照して説明する。本実施形態は、分岐ブレーカと状態監視ユニットとの間の通信を電力線搬送通信で行なうようにしたものである。図６は、本実施形態に係る分電盤の正面視を示す。本実施形態に係る分電盤１は、第１の実施形態に係る分電盤１の構成に加えて、分岐ブレーカ４が信号を送受信する電力線通信子機４１２を備え、状態監視ユニット５が電力線通信子機４１２と信号を送受信する電力線通信親機５６を備えている。電力線通信親機５６は通信線３１によって電力線３と繋がっている。電力線通信子機４１２と電力線通信親機５６との間の通信は電力線３と通信線３１とを介して電力線搬送通信によって行なわれ、電力線通信子機４１２から電力線通信親機５６へは、各分岐回路の通電情報や個別アドレス等が送信され、電力線通信親機５６から電力線通信子機４１２へは、通電情報の送信要求等が送信される。この電力線搬送通信より、分電盤１内の２線送り配線が不要となるので、分電盤１内の配線が簡潔になって配線の手間も少なくなり、配線の切断を防止することができる。
【００２９】
なお、本発明は、上記各種実施形態の構成に限られず、発明の趣旨を変更しない範囲で種々の変形が可能である。例えば、状態監視ユニットは、電流値以外の電圧や漏電電流等を種々のセンサで検知して表示してもよい。通電状況がより分かり易くなる。また、分岐ブレーカは、ＣＴや種々のセンサが検出した信号に基づいて機構部の遮断を行なう電子ブレーカとしてもよい。バイメタルが不要になるなど構造が簡単になり、また、複雑な制御を行なうことができる。また、分岐ブレーカと状態監視ユニットとの通信を、無線通信によって行なってもよい。電力線搬送通信によって通信を行なうのと同様に、分電盤内の配線が簡潔になって配線の手間も少なくなり、配線の切断を防止することができる。
【図面の簡単な説明】
【００３０】
【図１】本発明の第１の実施形態に係る分電盤の正面図。
【図２】同分電盤における分岐ブレーカの構成図。
【図３】同分電盤における状態監視ユニットの構成図。
【図４】同分電盤における分岐ブレーカの変形例の構成図。
【図５】（ａ）は本発明の第２の実施形態に係る分電盤の正面図、（ｂ）は同分電盤における分岐ブレーカの有するディップスイッチの斜視図、（ｃ）はディップスイッチの設定状態の表示の外観図。
【図６】本発明の第３の実施形態に係る分電盤の正面図。
【図７】従来の分電盤の正面図。
【符号の説明】
【００３１】
１  分電盤
２  主幹ブレーカ
３  電力線
４  分岐ブレーカ（状態検出機構）
４０  分岐回路
４１２  電力線通信子機
４７  アドレス設定部
４７１  ディップスイッチ（操作部）
４９  表示部（表示機構）
５  状態監視ユニット
５６  電力線通信親機
【図１】
2008228516.tif 000003
【図２】
2008228516.tif 000004
【図３】
2008228516.tif 000005
【図４】
2008228516.tif 000006
【図５】
2008228516.tif 000007
【図６】
2008228516.tif 000008
【図７】
2008228516.tif 000009